(57)【要約】      （修正有）【課題】外出先での通話中に電池切れを起こしてしまい、どうしても伝えなければならない大事な用件があった場合でも予備電池の携帯有無を考える必要をなくす。【解決手段】本発明は、前記課題を解決する為に、携帯電話本体にあらかじめ予備電池を取り付けておく装置を付けておき、電池切れがおきた場合、即座に本体電池と予備電池を取り外し入れ替えるか、または取り外し交換をすることなく電気的に予備電池と本体電池を接続しておき、スイッチ等で予備電池に切りかえる又は予備電池に自動的に切り替える方法を考案した。【選択図】  図３
2005094789.tif 000002
【特許請求の範囲】
【請求項１】
操作キーを有する操作側筐体の裏側に電池が着脱可能な方法で取り付けられている携帯電話機において、この操作側筐体の裏側の電池側部分に新たにヒンジを設け予備電池が収納できる装置を取り付けておき、携帯電話機の電池切れが起きた時、携帯電話機本体の電池と予備電池を入れ替え交換出来るようにした携帯電話機操作側筐体の裏側に新たにヒンジを設け、折り畳み可能な方法で取り付けられた予備電池接続装置の付いた携帯電話機。
【請求項２】
前記携帯電話機操作側筐体の裏側の電池側部分に、新たにヒンジを設け予備電池が収納できる装置を取り付けておき、携帯電話機の電池切れが起きた時又は電池切れ直前に、新たに取り付けたヒンジを介して電気的に予備電池と接続しておき、電池交換をすることなくスイッチ等で予備電池に切り替えることが出来る携帯電話機操作側筐体の裏側にに新たにヒンジを設け、折り畳み可能な方法で取り付けられた予備電池接続装置の付いた携帯電話機。
【請求項３】
前記携帯電話機操作側筐体の裏側の電池側部分に、新たにヒンジを設け予備電池が収納できる装置を取り付けておき、携帯電話機本体の電池切れが起きた時又は電池切れ直前に、新たに取り付けたヒンジを介して電気的に予備電池と接続しておき、電池切れのため予備電池に切り替える旨の液晶表示をするか、又は音声、ライト、ブザー等、又はこれらを複合した方法等でアラームを出した後、自動的に予備電池に切り替えることが出来る携帯電話機操作側筐体の裏側に新たにヒンジを設け、折り畳み可能な方法で取り付られた予備電池接続装置の付いた携帯電話機。
【請求項４】
前記携帯電話機操作側筐体の裏側の電池側部分に、新たに取り外し可能なヒンジを設け予備電池が収納できる装置を取り付けておき、この取り外し可能なヒンジを設けることにより予備電池が不要な時には取り外しておき、必要な時に接続することが出来る請求項1〜3までの機能を有する、携帯電話機本体に新たに取り外し可能なヒンジを設けた、折り畳み可能な方法で取り付られた予備電池接続装置の付いた携帯電話機。
【発明の詳細な説明】
【技術分野】
【０００１】
本発明は携帯電話機の電池切れに対する予備電池接続装置に関するもの。
【背景技術】
【０００２】
携帯電話は家庭内等に置いてある充電器で事前に充電してから、外出時等で使用し、外出から帰ったら再度、充電器で充電をするというパターンを繰り返しているが長時間外出していた時や、うっかり充電を忘れたりすると電池切れを起こし、通話中に携帯電話がつかえなくなったりする。
【０００３】
又は電池切れを事前に予想し予備電池をバック等に携帯、電池切れを起こす直前に携帯電話の電池をはずし予備電池への交換を行なっていた。また最近は携帯電話機にメモリーカードを使ったカメラ機能やパソコン等とのデータ通信、テレビ電話又は音楽等に関する機能等々、電話のやり取りの他に沢山の機能が盛り込まれ電力消費量が多くなってきているが、携帯電話機そのものは手のひらサイズで且つ又、軽く、薄くということが求められている。このようにこれからの携帯電話機は更に多機能化が進み、更に電池の長時間化がもとめられている。
【発明の開示】
【発明が解決しようとする課題】
【０００４】
このように多機能化の進む携帯電話機の電池切れという問題点に対しては、電池切れを起こす前に家庭内等に置いてある充電器で定期的に充電するか、又は常に予備電池をバック等に入れて携帯するしかないのが現状である。本発明品は外出先での通話中に電池切れを起こしてしまい、どうしても伝えなければならない大事な用件があった場合でも予備電池の携帯有無を考える必要もないように出来ないかと考えた。
【課題を解決するための手段】
【０００５】
本発明は前記課題を解決する為に携帯電話機本体にあらかじめ予備電池を取り付けておく装置を付けておき、電池切れがおきても即座に予備電池に取り替えられるか又は電気的に予備電池に切り変えられる方法はどうかと考えた。
【０００６】
請求項1に係わる携帯電話予備電池接続装置は、携帯電話機の電池が電池切れを起こした時又は電池切れ直前に、電池切れした本体電池と予備電池接続装置に取り付けられた予備電池と取り外し交換できるようにしたものである。従ってこの場合の予備電池は本体電池と同一形状寸法でないと交換出来ないが、こうすることによって当座の通話に支障がなくなるようしたものである。
【０００７】
請求項2に係わる予備電池接続装置は、携帯電話機の電池が電池切れを起こした時又は一般的に現在の携帯電話機は電池切れ寸前の場合は電池切れの表示がされているが、この時点で携帯電話機本体電池と予備電池を取り外すことなく、新たに設けたヒンジを介して携帯電話機と予備電池接続装置側の予備電池と電気的に接続させておき、スイッチ等で予備電池に切り替える方法を考えたものである。スイッチ等で予備電池に切り替える方法をとったのは、本体電池が切れて、これからは予備電池での通話になりますと言う認識をしてもらう意味でスイッチ等での切り替える方法を考案したものである。この場合本体電池と予備電池は取り替える必要もないので本体電池と予備電池とは同一形状でも、又同一形状でなくともよい。
【０００８】
請求項3はスイッチ等で手動で切り替える方法でなく、電池切れが起きた時又は電池切れ直前に、予備電池に切り替えますと言う前記アラームを出した後、予備電池に自動的に切り替わる方法をとることによって、より簡単に予備電池に切り替えられる方法を考案したものである。無論電池が弱くなった時点で自動的に切り替えてしまう方法もあるが何らかのアラームを発するという方法は電池切れの為予備電池に切り替えたという認識を持ってもらう為のものである。尚、本体電池と予備電池とは取り替える必要もないので同一形状でも同一形状でなくともよいのは請求項２と同様である。長期の外出時等はかえって出来るだけ電池容量のある予備電池の方がよいとするならば予備電池接続装置で出来る最大の容量電池形式にしてもよい。例えば一週間程度使用可能の容量を持つ予備電池、又は二週間、三週間程度使用可能な予備電池にすると言う方法で電池容量を変える事が出来るようにすることもできる。但しいずれの方法でも本体電池も予備電池も使用後は当然充電器にて充電しておくことは従来と変わらない。
【０００９】
請求項4は携帯電話機本体に予備電池接続装置をヒンジ6を介して固定せず、取り外しが可能な方法で考案したものである。こうすることによって予備電池の不要な時には取り外しておき、外出時間が長期に渡り且つ又充電の難しい所等に行った時、又はTV電話等の電池消費量の大きい時には予備電池容量の大きいものに取り替えられるようにしたものである。従って予備電池接続装置も電池容量の違うものを何種類か用意し使用時間によって使いわける事ができる。
【発明の効果】
【００１０】
上述のごとく、携帯電話機に予備電池接続装置をつけることによって 、外出先での電池切れという心配は当面なくなり、いつでも予備電池が付いているという安心感があり、且つ又、予備電池を別に持ち運ぶという手間もなくなる。
【発明を実施するための最良の形態】
【００１１】
以下、本発明による携帯電話機の好適実施形態例の構成を添付図を参照して詳細に説明する。
【００１２】
図1は本発明の１実施例として、折り畳み携帯電話機にヒンジ6を介して予備電池接続装置4を接続した側面図である。携帯電話機を折り畳んだ時の厚さに対して、予備電池接続装置の厚さは、5〜7mm程度の厚さであり、又日常的には携帯電話の電池側に常に閉じられているのであまり意識することもない厚さと形状である。これは折り畳み携帯電話機の一好適実施例であるが、折り畳み式携帯電話機ばかりでなく液晶表示部と入力装置(キーボタン)が同一面にある一体型携帯電話機にもヒンジ6を設け予備電池接続装置をつけることもできる。又、8のヒンジ機構の構造及び表示装置側と操作入力側(キーボタン)とを電気的に接続させる方法等は数多く公開されているので記載しないが、6のヒンジも同様の機構でよいが、この予備電池接続装置は本体電池に代わって電気を供給するのみの為、構造的、通電的にも簡単な方法でも問題ない。
【００１３】
図2は、操作入力装置(キーボタン)2の裏側にある電池側から見た携帯電話機背面図である。予備電池接続装置は表示6のヒンジを中心にして開閉させるが、本発明品の一実施例として最近の携帯電話はカメラ付きが多く、電池側にも多種の機能が付加されているが表示9はカメラのレンズで、このレンズを目隠しにしないよう、レンズより一回り大きな穴10をあけた形状にした１実施例である。また予備電池接続装置もデザイン的に一部形状をカットしたものを載せた実施例である。
【００１４】
図3は携帯電話機本体に予備電池装置4が少し開いた状態で接続されている携帯電話機の裏側から見た斜視図である。予備電池装置の開閉角度については本体液晶表示部1と入力装置(キーボタン)2の開閉角度のように制約されるものはない。従って請求項1の如くの場合は電池交換出来る程度の60度程度でも90度程度でも問題がないが、180度開けば机等に置いたときに置きやすいし安定性がある。又10はカメラレンズ用穴であり、カメラレンズが電池側の後ろにあった場合にカメラレンズ9を目隠しにしないよう穴を開けた実施例である。
【００１５】
図4は図3と同様に携帯電話機の電池側から見た斜視図で、予備電池接続装置4の予備電池をはずした状態を示した実施例である。予備電池ロック装置11は本体電池ロック装置と同一形状とすれば充電時にも問題がない。本実施例の予備電池ロック装置11はロック止め溝12と勘合しロック装置11にて上下にスライドさせて離脱させる。ロック止め用溝13、ロック止め溝14にて予備電池の下方を固定した実施例である。
【００１６】
図5は携帯電話機本体背面より予備電池接続装置4を携帯電話機本体と平行に下方にずらして、取り外した斜視図である。本実施例は携帯電話機本体の様に取り外し可能な電池形状でなくともよいので予備電池接続装置全体を電池構造としたものである。ヒンジ6はヒンジ6-1とヒンジ6-3の間にヒンジ6-2が挿入され、ヒンジ6-3とヒンジ6-5の間にヒンジ6-4が挿入されヒンジ6が構成されている。
【００１７】
図6は携帯電話機電池側から見た斜視図であり、予備電池接続装置が閉じている状態より180度開いた状態を表している。
【００１８】
図7は携帯電話機電池側に取り付けられたヒンジ6の拡大図であり、ヒンジ6により予備電池接続装置を携帯電話機電池側より取り外したり取付けたりすることが出来るようにする方法、及び予備電池接続装置を閉じたり開いたりする事が出るようにしたヒンジ6の考案例である。この実施例としてヒンジ6は5つの部位(6-1,6-2,6-3,6-4,6-5)で構成されている。各部位の内6-1から説明すると、6-1-a, 6-1-b, 6-1-c, から成り6-1-aは6-1を破線の位置から外側の矢印側までスライドさせ、6-2が挿入出来るようにし6-2が挿入された後、6-1を再び破線の位置まで戻す為のボタンである。6-1-bは本体。6-1-cは6-2-aが挿入されたあとの軸受け部分である。6-2は予備電池接続装置側のヒンジ部位で6-2-a、 6-2-b, 6-2-c, から成り、6-2-a, 6-2-cは予備電池接続装置が開閉出来る為に破線に示される如くの円筒の筒の先端部分である。この円筒形又は長方形の筒でもかまわないが、筒に破線のようなスプリングが巻かれておりこのバネによって予備電池接続装置を開いた後、閉じられる時にスムーズに戻る事が出来るスプリングであり、携帯電話機本体のヒンジ8の機構と同様である。ヒンジ6-2は、ヒンジ6-1とヒンジ6-2の間に挿入され、6-2-aは6-1-cに、6-2-cは6-3-aにそれぞれ勘合し回転部分の軸となる。次のヒンジ6-4も同様にヒンジ6-3と6-5の間に挿入され、ヒンジ6はヒンジ6-1, 6-2, 6-3，6-4, 6-5,と一直線上に並び、予備電池接続装置を取り外したり、または自由に開閉する事ができる。この実施例のヒンジ6は部位6-1,6-2,6-3,6-4,6-5で構成されているが、6-1と6-5の間は6-2と6-4を一緒にした長さのものでもよく部位3点で構成してもよい。又電気を本体側に供給する方法は信号線等は不要な為、各軸受けでの接点でもよい。
【００１９】
図8は携帯電話機側面図である、図1の側面図との違いは予備電池接続装置が厚くなっていることである。この実施例は長期の外出時や充電することが困難な場所等に行った時、しばらくは電池の残量を気にしなくてもいいように考案されたものである。又このヒンジ6によって予備電池接続装置の電池を燃料電池にして取り付けることもできる。
【００２０】
以上本発明による携帯電話機の好適実施形態例を示したが、かかる実施形態例は本発明の単なる例示に過ぎず、何ら本発明を限定するものではない、本発明の要旨を逸脱することなく種々の変形変更が可能であることはいうまでもない。又携帯電話機のみでなく携帯端末のPDA等でも搭載する事ができる。
【図面の簡単な説明】
【００２１】
【図１】本発明の実施形態を示す携帯電話機側面図である。
【図２】本発明の実施形態を示す携帯電話機背面図である。
【図３】本発明の実施形態を示す携帯電話機操作入力装置(キーボタン)面の裏側に予備電池接続装置を取り付け少し開いた状態を見た斜視図である。
【図４】本発明の実施形態を示す携帯電話機背面に予備電池接続装置が接続され、予備電池を取り外し平行移動させた状態を見た斜視図である
【図５】本発明品の予備電池接続装置を携帯電話機本体より取り外し、下方に平行移動させた電池側から見た斜視図である。
【図６】本発明品の予備電池接続装置を180度開いた電池側からの斜視図である。
【図７】携帯電話機電池側に取り付けられたヒンジ6の拡大図である。
【図８】本発明の実施形態を示す携帯電話機側面図であり、予備電池接続装置を通常の電池より数倍厚くし長期外出時に使用する為の実施例である。
【符号の説明】
【００２２】
(1)  液晶表示部                          (7)  アンテナ
(2)  入力装置(キーボタン)                (8)  携帯電話本体ヒンジ
(3)  本体電池                            (9)  カメラレンズ
(4)  予備電池接続装置                    (10)  カメラレンズ用穴
(5)  予備電池                            (11)  予備電池止め用ロック装置
(6)  予備電池接続装置用ヒンジ            (12)  予備電池止め用溝
(6-1)  予備電池接続装置用ヒンジ部位      (13)  予備電池止め用溝
(6-1-a)  予備電池接続装置用ヒンジボタン  (14)  予備電池止め用溝
(6-1-b)  予備電池接続装置用ヒンジ本体
(6-1-a)  予備電池接続装置用ヒンジ軸受け
(6-2)  予備電池接続装置用ヒンジ部位 
(6-2-a)  予備電池接続装置用ヒンジ軸受け 
(6-2-b)  予備電池接続装置用ヒンジ本体
(6-2-c)  予備電池接続装置用ヒンジ軸受け
(6-2-ｄ)  予備電池接続装置用ヒンジ内バネ
(6-3)  予備電池接続装置用ヒンジ部位
(6-3-a)  予備電池接続装置用ヒンジ軸受け
(6-3-b)  予備電池接続装置用ヒンジ本体
(6-3-c)  予備電池接続装置用ヒンジ軸受け
(6-4)  予備電池接続装置用ヒンジ部位
(6-4-a)  予備電池接続装置用ヒンジ軸受け
(6-4-b)  予備電池接続装置用ヒンジ本体
(6-4-c)  予備電池接続装置用ヒンジ軸受け
(6-4-d)  予備電池接続装置用ヒンジ内バネ
(6-5)  予備電池接続装置用ヒンジ部位
(6-5)  予備電池接続装置用ヒンジ軸受け
(6-5)  予備電池接続装置用ヒンジ本体
(6-5)  予備電池接続装置用ヒンジボタン
【図１】
2005094789.tif 000003
【図２】
2005094789.tif 000004
【図３】
2005094789.tif 000005
【図４】
2005094789.tif 000006
【図５】
2005094789.tif 000007
【図６】
2005094789.tif 000008
【図７】
2005094789.tif 000009
【図８】
2005094789.tif 000010